(57)【特許請求の範囲】
【請求項１】
収穫用の前処理部と運転部とを左右に配備するとともに、運転部における前処理部がわの横側箇所に、前後方向に沿ってサイドカバーを設けた収穫機の運転部構造であって、
前記サイドカバーを、サイドカバー全長に亘る前後に長い主ブロックと、これの一部に重合連結される副ブロックとからなるブロー成形によって中空に形成された主副のブロックで構成し、前記主ブロックにはその前半部の上部に左右に貫通する開口が形成された取っ手部を、後半部の運転部側の側面に各種スイッチを取付けるためのスイッチ装着孔を形成し、前記副ブロックを、主ブロックに重合連結された状態で運転部とは反対側に位置するようにこれら主副のブロックを薄肉ヒンジ部を介して一体成形して、薄肉ヒンジ部で折り曲げることで副ブロックにおけるブロック重合部の前端縁が主ブロックにおける前記取っ手部と前記スイッチ装着孔との間に位置する状態で主副のブロックが左右に重合連結されるように構成してあることを特徴とする収穫機の運転部構造。
【請求項２】
重合連結されて構成されたサイドカバーの長手方向端部に前記薄肉ヒンジ部が位置するよう構成してある請求項１記載の収穫機の運転部構造。
【請求項３】
副ブロックにおけるブロック重合部の前端縁を側面視でくの字状に屈曲してある請求項１または２に記載の収穫機の運転部構造。
【請求項４】
ブロック同士の重合箇所に、互いに嵌合する凹凸を形成してある請求項１〜３のいずれか一項に記載の収穫機の運転部構造。
【請求項５】
ブロック同士を重合させた状態において、主ブロックに形成した前後方向に亘る中空の背骨部と、副ブロックに形成した前後方向に亘る中空の背骨部とが一連に連続するよう構成してある請求項１〜４のいずれか一項に記載の収穫機の運転部構造。
【発明の詳細な説明】
【０００１】
【発明の属する技術分野】
本発明は、収穫用の前処理部と運転部とを左右に配備するとともに、運転部の前処理部側にサイドカバーを設けた、コンバインなどの収穫機の運転部構造に関する。
【０００２】
【従来の技術】
従来より、コンバインにおいては、運転部の前処理部側に設けるサイドカバーは、板金加工部材や射出成形した樹脂成形材で構成されていた。
【０００３】
【発明が解決しようとする課題】
上記従来構造では、板金加工部材や樹脂成形材の金型が高価になりやすく、また、強度を確保するために補強構造も必要となり、組付けにも手数がかかるものとなっていた。
【０００４】
本発明は、このような点に着目してなされたものであって、複雑な形状のサイドカバーでも比較的安価な金型を用いて製作することができるとともに、組付けも簡単に行えようにすることを主たる目的とする。
【０００５】
【課題を解決するための手段】
〔請求項１に係る発明の構成、作用、および効果〕
【０００６】
請求項１に係る発明は、収穫用の前処理部と運転部とを左右に配備するとともに、運転部における前処理部がわの横側箇所に、前後方向に沿ってサイドカバーを設けた収穫機の運転部構造であって、前記サイドカバーを、サイドカバー全長に亘る前後に長い主ブロックと、これの一部に重合連結される副ブロックとからなるブロー成形によって中空に形成された主副のブロックで構成し、前記主ブロックにはその前半部の上部に左右に貫通する開口が形成されて取っ手部を、後半部の運転部側の側面に各種スイッチを取付けるためのスイッチ装着孔を形成し、前記副ブロックを、主ブロックに重合連結された状態で運転部とは反対側に位置するようにこれら主副のブロックを薄肉ヒンジ部を介して一体成形して、薄肉ヒンジ部で折り曲げることで副ブロックにおけるブロック重合部の前端縁が主ブロックにおける前記取っ手部と前記スイッチ装着孔との間に位置する状態で主副のブロックが左右に重合連結されるように構成してあることを特徴とする。
【０００７】
上記構成によると、中空のブロックを成形する金型は外型だけであり、内外の金型を必要とする射出成形部材に比較して安価に製作することができる。また、主副のブロックを重合させて連結するので、特別な補強部材を付設しなくても、完成したサイドカバー単体で大きい強度を発揮させることができる。
また、複雑な形状のサイドカバーでも部品点数が少なく、組付けが容易となる。
【０００８】
上記構成によると、主副のブロックを同時に一体形成することができ、各ブロックを別々にブロー成形する場合に比較して一層安価に製作することができる。また、サイドカバー単体の組上げにおいては、薄肉ヒンジ部で折り曲げて主副のブロック同士を重合して連結するので、独立に成形された個別のブロック同士を重合して連結する場合に比較して、ブロック同士の位置合わせ、および、連結が容易であり、組立て作業性に優れたものとなる。
【０００９】
上記構成によると、主ブロックがサイドカバーの基本的な形状を有しているので、例えばサイドカバーを前後に分割したブロックを連結して所望の長さに構成する場合よりも、前端から後端まで一連に連なる形状精度の高いサイドカバーを構成することができる。その反面、前後に長い主ブロックは、それ単体では左右方向での曲げ強度が低下しがちになるが、主ブロックの適所に副ブロックを左右方向から部分的に重合連結することで剛性を高いものにすることができる。
【００１０】
上記構成によると、サイドカバーの運転部側に前後一連の主ブロックが位置するので、運転部からは継ぎ目のない滑らかな面を呈することになり、見栄えのよいサイドカバーを構成することができる。
【００１１】
上記構成によると、運転部の作業者が立ち上がって操縦したり、立ち上がって前処理部を監視したりする場合に、サイドカバーの取っ手を把持して身体を支えながら安定した体勢を保つことができ、運転操作性に優れたものとなる。
【００１２】
〔請求項２に係る発明の構成、作用、および効果〕
【００１３】
請求項２に係る発明は、請求項１の発明において、重合連結されて構成されたサイドカバーの長手方向端部に前記薄肉ヒンジ部が位置するよう構成してあるものである。
【００１４】
上記構成によると、ブロー成形しただけの一体成形品は、複数のブロックが薄肉ヒンジ部を介して直列状態に並んだ長いものとなるので、この直列方向を樹脂素材の供給方向に設定してブロー成形することで、素材供給方向と直行する方向での金型の寸法幅を極力小さいものにすることができ、金型コストの節減に有効になるとともに、素材供給方向と直行する方向での樹脂素材の広がりが少なくなって、肉厚の均一なブロー成形を行う上で有利なものとなる。
【００１５】
〔請求項３に係る発明の構成、作用、および効果〕
【００１６】
請求項３に係る発明は、請求項１または２の発明において、副ブロックにおけるブロック重合部の前端縁を側面視でくの字状に屈曲してあるものである。
【００１７】
この構成によると、サイドカバーに左右方向の曲げが作用すると、重合部の副ブロックの前端縁に圧接応力が作用するが、この場合、重合部の副ブロックの前端縁が側面視で上下方向に直線的であるのに比べて、前記前端縁が側面視でくの字状である方が圧接応力を受ける端縁長さが長いものとなり、左右方向での曲げ強度を確保する上で有効となる。
【００１８】
上記構成によると、各ブロックにおける中空の背骨部が一連に連続することで、重合連結されたサイドカバーには前後方向全長に亘る中空の背骨部が形成されることになり、軽量でありながら一層強度の高いものとなる。
【００１９】
〔請求項４に係る発明の構成、作用、および効果〕
【００２０】
請求項４に係る発明は、請求項１〜３のいずれか一項の発明において、ブロック同士の重合箇所に、互いに嵌合する凹凸を形成してあるものである。
【００２１】
上記構成によると、重合したブロック同士の位置合わせが容易になるとともに、凹凸を介した嵌合によってブロック同士の一体化が図られ、組立て作業性を向上することができるのみならず、組み上がったサイドカバーの剛性を高める上でも有効となる。
【００２２】
〔請求項５に係る発明の構成、作用、および効果〕
【００２３】
請求項５に係る発明は、請求項１〜４の発明において、ブロック同士を重合させた状態において、主ブロックに形成した前後方向に亘る中空の背骨部と、副ブロックに形成した前後方向に亘る中空の背骨部とが一連に連続するよう構成してあるものである。
【００２４】
上記構成によると、サイドカバーの全長に亘って中空の背骨部が一連に形成されることになって、一層剛性が高いものとなる。
【００２５】
【発明の実施の形態】
図１および図２に、本発明に係る運転部構造を備えた収穫機の一例であるコンバインの側面図および平面図が示されている。このコンバインは、機体前部の左側に収穫用の前処理部としての刈取り前処理部１が昇降自在に配備されるとともに、その右側に運転部２が配備され、かつ、刈取り前処理部１の後方に脱穀装置３が搭載配備され、さらに、運転部２の後方には選別回収した穀粒を貯留するタンク４が搭載配備された構造となっている。
【００２６】
刈取り前処理部１は、２条の植立穀稈を刈取り姿勢に引起こす引起し装置５、刈取り穀稈を後方に搬送して脱穀装置３のフィードチェーン６に横倒れ姿勢で受け渡す縦搬送装置７、などを備えており、また、運転部２には、エンジンボンネット８の上面に配備された運転座席９が設けられるとともに、運転座席９の前方には左右のクローラ走行装置１０の駆動を制御して機体操向を行うステアリングレバー１１や表示装置１２を備えた前部操縦パネル１３が配備され、また、運転座席９の左側には、走行速度を変更選択する主変速レバー１４と副変速レバー１５、刈取り前処理部１への動力断続を司る刈取りクラッチレバー１６、脱穀装置３への動力断続を司る脱穀クラッチレバー１７、などを備えた操作パネル１８が備えられ、さらに、この操作パネル１８の左横側にサイドカバー２０が立設配備されている。
【００２７】
本発明は、前記サイドカバー２０の構造に特徴を有するものであり、以下にその構造を図面に基づいて詳細に説明する。
【００２８】
このサイドカバー２０はブロー成形によって中空に構成された樹脂成形品であり、図６，７に示すように、前後方向に長い中空の主ブロック２０Ａの後半部に中空の副ブロック２０Ｂを重合して連結した構造となっている。ここで、主ブロック２０Ａと副ブロック２０Ｂは一体にブロー成形されたものであり、図３，４，５に示すように、主ブロック２０Ａの後端に副ブロック２０Ｂが薄肉ヒンジ２１を介して接続された状態で一体に成形され、薄肉ヒンジ２１を折り曲げることで副ブロック２０Ｂを主ブロック２０Ａの後半部に、左横外方から重合してボルト連結するようになっている。
【００２９】
重合された主ブロック２０Ａと副ブロック２０Ｂとは、上部の３つの連結個所ａ，ｂ，ｃ、上下中間の１つの連結個所ｄ、および、下部の２つの連結個所ｅ，ｆの全６個所でボルト締め連結されるものであり、その内の上部の２つの連結個所ａ，ｂでは、図１２に示すように、インサートナット２２とボルト２３が利用され、上部の他の連結個所ｃでは貫通ボルト２４とナット２５が利用される。また、図１３に示すように、上下中間の連結個所ｄではインサートナット２６とボルト２７が利用され、さらに、下部の連結箇所ｅ，ｆでは、機体側の支持フレーム２８へのサイドカバー取付け用のボルト２９を利用した共締め連結が行われるようになっている。
【００３０】
また、主ブロック２０Ａの下端と副ブロック２０Ｂの下端には、機体への連結用のボルト挿通孔３０が形成されている。なお、主ブロック２０Ａの下端に並べられた複数のボルト挿通孔３０は、左右方向から交互に凹入形成された厚肉のコンプレッション部３１に形成されており、これによって主ブロック２０Ａの下端辺の剛性が高められている。
【００３１】
主ブロック２０Ａにおける前半部の上部には左右に貫通する開口３２が形成されて取っ手部３３が構成されており、立ち姿勢で操縦したり、立ち姿勢で刈取り前処理部１を監視したりする時に、この取っ手部３３を把持して身体を支えることができるようになっている。なお、取っ手部３３の前側個所の右側面には凹部３４が形成されて、この箇所での強度が高められている。また、主ブロック２０Ａにおける上辺に、取っ手部３３に連なる中空周枠部分が形成されるように、主ブロック２０Ａの右側面の上部には前後に長い凹入段部３５が形成されている。このように、主ブロック２０Ａの上辺に取っ手部３３を含んだ中空周枠部分を形成することで、主ブロック２０Ａの上辺全体の強度が高められるとともに、取っ手部３３より後方箇所の上辺を握る際に凹入段部３５が手指の掛かりとなって握りやすいものとなっている。
【００３２】
また、主ブロック２０Ａにおける後半部の運転座席側の側面には、凹部３６が形成されるとともに、この凹部３６の底面に、各種のスイッチを取付けるための装着孔３７が形成されている。そして、主ブロック２０Ａと副ブロック２０Ｂの重合箇所の下端面には、凹部３６の内側空間に連通する開口３８が形成されており、前記装着孔３７に取付けた各種スイッチ３９のコード４０をこの開口３８から導出するよう構成されている。
【００３３】
主ブロック２０Ａの左側の外側面には、断面形状山形に形成された中空の背骨部４１が前後に長く膨出形成されて、左右方向での曲げ剛性が高められるとともに、副ブロック２０Ｂの左側の外側面にも同様な背骨部４２が前後に沿って膨出形成されており、主ブロック２０Ａに副ブロック２０Ｂが重合連結された状態において、主ブロック２０Ａの背骨部４１と副ブロック２０Ｂの背骨部４２とが一連に連なるようになっている。また、図６に示すように、副ブロック２０Ｂの前端が平面視で斜めの重合線Ｌをもって主ブロック２０Ａに重合されるように、ブロック重合部の前端縁ｇが側面視でくの字状に屈曲され、これによって主ブロック２０Ａにおける背骨部４１の後端部に副ブロック２０Ｂにおける背骨部４２の前端部が横外側から重合され、背骨部４１，４２同士の連結が強固に行われるようになっている。
【００３４】
主ブロック２０Ａにおける後半部のブロック重合面には前後一対の円形の凹部４３が形成されるとともに、副ブロック２０Ｂの重合面には前記凹部４３に嵌入円形の凸部４４が形成され、これらが互いに嵌合することで、重合された両ブロック２０Ａ，２０Ｂの位置決めがなされるとともに、互いの相対ずれを阻止して連結強度が高められるようになっている。
【００３５】
また、主ブロック２０Ａにおけるブロック重合面の後部には、半円断面形状の縦溝４５が形成されるとともに、副ブロック２０Ｂの重合面には、この縦溝４５に対向する半円断面形状の縦溝４６が形成されており、ブロック重合状態では、接合された両縦溝４５，４６によって上下方向に貫通する円形の挿通孔ｈが形成されるようになっている。そして、図３に示すように、この挿通孔ｈに、機体から立設された丸パイプ製の支柱４７が挿通されて、サイドカバー２０の起立強度が高められるようになっている。
【００３６】
前記支柱４７は、タンク４に備えられたスクリュー式の穀粒搬出装置４８に旋回および起伏揺動自在に備えられた横送りスクリューコンベア４９を機体上方の格納位置に受け止め保持する受け具５０の支柱として利用されている。なお、縦溝４５，４６を合わせて形成した挿通孔ｈの上側部分ｈａは、支柱４７の全周にしっかり外嵌される径に設定されるのに対して、挿通孔ｈの下端側部分ｈｂは前後に幅広く形成されて、支柱４７を左右から挟持して前後方向には融通を持った状態で支柱４７を挿通するよう構成されている。このようにすることで、成形誤差や支柱４７の組付け誤差などを吸収しながらサイドカバー２０に支柱４７を無理なく挿通保持することができるよう考慮されている。
【００３７】
また、薄肉ヒンジ２１から等距離の位置には切断用の補助縦溝５１，５２が形成されており、この補助縦溝５１，５２で切断して前後に短い主ブロック２０Ａと副ブロック２０Ｂを形成して、これらを重合連結することで小型機種のサイドカバー２０を構成することができるようになっている。
【００３８】
〔別実施形態〕
本発明は、以下のような形態で実施することもできる。
【００３９】
（１）図１５に示すように、副ブロック２０Ｂにおける縦溝４６の上端に円形のキャップ５３を一体形成しておき、穀粒回収用のタンク４を備えた機種では、前記キャップ５３を切除して上下に貫通する挿通孔ｈを形成し、上記のように支柱４７を挿通し、また、タンク４を備えない機種では、前記キャップ５３を残したままサイドカバー２０を組上げることで、上端がキャップ５３で閉塞された挿通孔ｈを形成し、サイドカバー２０上にまで貫通しない短い支柱を機体から立設して挿通孔ｈに挿入し、この専用の支柱でサイドカバー２０を支持するようにするとよい。
【００４０】
（２）図１６〜図２０に示すように、副ブロック２０Ｂを主ブロック２０Ａの上端辺に薄肉ヒンジ２１を介して一体成形し、薄肉ヒンジ２１で折り曲げて主ブロック２０Ａに副ブロック２０Ｂを重合連結する形態で実施することもできる。この場合、主ブロック２０Ａの後部上方には、支柱挿通用の縦向きパイプ部５４が形成されるとともに、その下方には縦溝４５が形成され、この縦溝４５と副ブロック２０Ｂの縦溝４６とを接合して支柱用の挿入孔ｈを形成するよう構成されている。
また、主ブロック２０Ａの後部には、前記縦向きパイプ部５４と交差するように山形の隆起部５５が形成されて、サイドカバー後部の剛性が高められている。
【００４１】
また、主ブロック２０Ａと副ブロック２０Ｂを左右に重合連結したサイドカバー２０の後端にはスイッチ設置用の凹部３６の内側空間ｓに連通した開口５８が形成されており、この開口５８からスイッチ類のコードを後方に導出することができる。
【図面の簡単な説明】
【図１】  コンバインの全体側面図
【図２】  コンバインの全体平面図
【図３】  展開されたサイドカバーを運転部側から見た斜視図
【図４】  展開されたサイドカバーを刈取り前処理部側から見た斜視図
【図５】  展開されたサイドカバーを刈取り前処理部側から見た側面図
【図６】  （イ）展開されたサイドカバーの平面図
（ロ）屈折重合したサイドカバーの平面図
【図７】  （イ）展開されたサイドカバーの底面図
（ロ）屈折重合したサイドカバーの底面図
【図８】  屈折重合したサイドカバーを運転部側から見た側面図
【図９】  屈折重合したサイドカバーを刈取り前処理部側から見た側面図
【図１０】  屈折重合したサイドカバーを前方から見た正面図
【図１１】  屈折重合したサイドカバーを後方から見た背面図
【図１２】  重合連結部の一部を示す横断平面図
【図１３】  他の重合連結部を示す横断平面図
【図１４】  屈折重合したサイドカバーの前後中間部位の縦断背面図
【図１５】  第１の別実施形態の展開されたサイドカバーを運転部側から見た斜視図
【図１６】  第２の別実施形態の展開されたサイドカバーを刈取り前処理部側から見た斜視図
【図１７】  第２の別実施形態の主ブロックを刈取り前処理部側から見た斜視図
【図１８】  第２の別実施形態のサイドカバーを刈取り前処理部側から見た側面図
【図１９】  第２の別実施形態のサイドカバーを刈取り前処理部側から見た斜視図
【図２０】  第２の別実施形態のサイドカバーにおける後部を縦断した背面図
【符号の説明】
１            前処理部
２            運転部
２０          サイドカバー
２０Ａ        主ブロック
２０Ｂ        副ブロック
２１          薄肉ヒンジ部
３２          開口
３３          取っ手部
３７          スイッチ装着孔
３９          各種スイッチ
４１          背骨部
４２          背骨部
ｇ            前端縁
【図１】
0003801485.tif 000002
【図２】
0003801485.tif 000003
【図３】
0003801485.tif 000004
【図４】
0003801485.tif 000005
【図５】
0003801485.tif 000006
【図６】
0003801485.tif 000007
【図７】
0003801485.tif 000008
【図８】
0003801485.tif 000009
【図９】
0003801485.tif 000010
【図１０】
0003801485.tif 000011
【図１１】
0003801485.tif 000012
【図１２】
0003801485.tif 000013
【図１３】
0003801485.tif 000014
【図１４】
0003801485.tif 000015
【図１５】
0003801485.tif 000016
【図１６】
0003801485.tif 000017
【図１７】
0003801485.tif 000018
【図１８】
0003801485.tif 000019
【図１９】
0003801485.tif 000020
【図２０】
0003801485.tif 000021